(57)【要約】【課題】スタンバイモードへの移行時に、より多くの設定項目と、その設定内容をユーザーに把握させることができるプロジェクターを提供する。【解決手段】本発明のプロジェクターは、入力操作を受け付ける入力操作部３０と、自装置に電力供給する電源部２２と、画像を投射する投射部１０と、自装置の状態を設定する設定項目、及びその設定内容を、設定情報として記憶する記憶部４０と、入力操作部３０により、スタンバイモードに移行するための操作が受け付けられた場合、設定情報を表す画像を投射するように投射部１０を制御し、設定情報を表す画像を投射した後、スタンバイモードへ移行するように電源部２２を制御する制御部５０と、を備える。【選択図】図１
2015082672.tif 000002
【特許請求の範囲】
【請求項１】
入力操作を受け付ける入力操作部と、
自装置に電力供給する電源部と、
画像を投射する投射部と、
自装置の状態を設定する設定項目及びその設定内容を設定情報として記憶する記憶部と、
前記入力操作部により、スタンバイモードに移行するための操作が受け付けられた場合、前記設定情報を表す画像を投射するように前記投射部を制御し、前記設定情報を表す画像を投射した後、前記スタンバイモードへ移行するように前記電源部を制御する制御部と、
を備えるプロジェクター。
【請求項２】
請求項１に記載のプロジェクターであって、
前記設定情報に含まれる前記設定項目のそれぞれには、前記設定情報を表す画像により表示させるか否かを示す表示可否情報が対応付けられており、
前記制御部は、前記設定情報を表す画像により表示させることを示す表示可否情報に対応付けられた前記設定項目及びその設定内容について表示する設定情報を表す画像を投射するように前記投射部を制御する、
プロジェクター。
【請求項３】
請求項１又は２に記載のプロジェクターであって、
前記制御部は、前記設定情報を表す画像を投射した後、前記入力操作部により前記スタンバイモードへの移行を確定する操作が受け付けられた場合、前記スタンバイモードへ移行するように前記電源部を制御する、
プロジェクター。
【請求項４】
請求項１から３のうちいずれか一項に記載のプロジェクターであって、
前記制御部は、前記スタンバイモードへ移行する前に、前記プロジェクターの使用状況に関する警告を表す警告画像を投射するように前記投射部を制御する、
プロジェクター。
【請求項５】
請求項４に記載のプロジェクターであって、
前記記憶部は、前記プロジェクターに関する使用状況を表す値を記憶し、
前記制御部は、前記記憶部により記憶された前記使用状況を表す値が所定の閾値を超えた場合、前記スタンバイモードへ移行する前に、前記警告画像を投射するように前記投射部を制御し、
前記警告画像は、前記使用状況を表す値が前記閾値を超えたことを知らせる画像である、
プロジェクター。
【請求項６】
請求項５に記載のプロジェクターであって、
前記使用状況を表す値は、前記投射を行うための光源の累計点灯時間である、
プロジェクター。
【請求項７】
入力操作を受け付ける入力操作部と、自装置に電力供給する電源部と、画像を投射する投射部と、自装置の状態を設定する設定項目及びその設定内容を設定情報として記憶する記憶部と、を備えるプロジェクターの制御部が、
前記入力操作部により、スタンバイモードにする操作が受け付けられた場合、前記設定情報を表す画像を投射するように前記投射部を制御し、前記設定情報を表す画像を投射した後、前記スタンバイモードへ移行するように前記電源部を制御する、
プロジェクターの制御方法。
【発明の詳細な説明】
【技術分野】
【０００１】
この発明は、プロジェクター、及びプロジェクターの制御方法に関する。
【背景技術】
【０００２】
プロジェクターをスタンバイモードへ移行する時、プロジェクターの輝度、カラーモード等の設定項目に対して行われた設定変更を表示する技術が知られている（特許文献１参照）。
【先行技術文献】
【特許文献】
【０００３】
【特許文献１】特開２０１２−１３４９１１号公報
【発明の概要】
【発明が解決しようとする課題】
【０００４】
しかしながら、特許文献１に記載された技術では、設定変更されていない設定項目を表示することが考慮されていなかった。このため、ユーザーは、使い慣れていないプロジェクターをスタンバイモードへ移行する際、プロジェクターのすべての設定項目と、その設定内容を把握し切れない場合がある。
【０００５】
そこで本発明は、上記従来技術の問題に鑑みてなされたものであり、スタンバイモードへの移行時に、有用な設定内容をユーザーに把握させることができるプロジェクター、及びプロジェクターの制御方法を提供する。
【課題を解決するための手段】
【０００６】
［１］本発明は、上記の課題を解決するためになされたものであり、入力操作を受け付ける入力操作部と、自装置に電力供給する電源部と、画像を投射する投射部と、自装置の状態を設定する設定項目及びその設定内容を設定情報として記憶する記憶部と、前記入力操作部により、スタンバイモードに移行するための操作が受け付けられた場合、前記設定情報を表す画像を投射するように前記投射部を制御し、前記設定情報を表す画像を投射した後、前記スタンバイモードへ移行するように前記電源部を制御する制御部と、を備えるプロジェクターである。
【０００７】
この構成により、プロジェクターは、入力操作部により、スタンバイモードに移行するための操作が受け付けられた場合、設定情報を表す画像を投射するように投射部を制御し、設定情報を表す画像を投射した後、スタンバイモードへ移行するように電源部を制御するため、スタンバイモードへの移行時に、有用な設定内容をユーザーに把握させることができる。
【０００８】
［２］また、本発明は、［１］に記載のプロジェクターであって、前記設定情報に含まれる前記設定項目のそれぞれには、前記設定情報を表す画像により表示させるか否かを示す表示可否情報が対応付けられており、前記制御部は、前記設定情報を表す画像により表示させることを示す表示可否情報に対応付けられた前記設定項目及びその設定内容について表示する設定情報を表す画像を投射するように前記投射部を制御する、プロジェクターである。
【０００９】
この構成により、プロジェクターは、設定情報を表す画像により表示させることを示す表示可否情報に対応付けられた前記設定項目及びその設定内容について表示する設定情報を表す画像を投射するように前記投射部を制御するため、ユーザーが所望する設定項目及びその設定内容を、スタンバイモードに移行する前に表示することができる。
【００１０】
［３］また、本発明は、［１］又は［２］に記載のプロジェクターであって、前記制御部は、前記設定情報を表す画像を投射した後、前記入力操作部により前記スタンバイモードへの移行を確定する操作が受け付けられた場合、前記スタンバイモードへ移行するように前記電源部を制御する、プロジェクターである。
【００１１】
この構成により、プロジェクターは、設定情報を表す画像を投射した後、入力操作部によりスタンバイモードへの移行を確定する操作が受け付けられた場合、スタンバイモードへ移行するように電源部を制御するため、設定情報を表す画像を表示させた後、表示された内容をユーザーが把握する前に、スタンバイモードへ移行してしまうことを防止することができる。
【００１２】
［４］また、本発明は、［１］から［３］のうちいずれか一項に記載のプロジェクターであって、前記制御部は、前記スタンバイモードへ移行する前に、前記プロジェクターの使用状況に関する警告を表す警告画像を投射するように前記投射部を制御する、プロジェクターである。
【００１３】
この構成により、プロジェクターは、スタンバイモードへ移行する前に、プロジェクターの使用状況に関する警告を表す警告画像を投射するように投射部を制御するため、プロジェクターの使用状況に関する警告を、ユーザーが把握しないままプロジェクターの使用を継続してしまうことを防止することができる。
【００１４】
［５］また、本発明は、［４］に記載のプロジェクターであって、前記記憶部は、前記プロジェクターに関する使用状況を表す値を記憶し、前記制御部は、前記記憶部により記憶された前記使用状況を表す値が所定の閾値を超えた場合、前記スタンバイモードへ移行する前に、前記警告画像を投射するように前記投射部を制御し、前記警告画像は、前記使用状況を表す値が前記閾値を超えたことを知らせる画像である、プロジェクターである。
【００１５】
この構成により、プロジェクターは、記憶部により記憶された使用状況を表す値が所定の閾値を超えた場合、スタンバイモードへ移行する前に、使用状況を表す値が閾値を超えたことを知らせる警告画像を投射するように投射部を制御するため、使用状況を表す値が閾値を超えたことによって起こり得る事象を、その事象が起こる前にユーザーに把握させることができる。
【００１６】
［６］また、本発明は、［５］に記載のプロジェクターであって、前記使用状況を表す値は、前記投射を行うための光源の累計点灯時間である、プロジェクターである。
【００１７】
この構成により、プロジェクターは、投射を行うための光源の累計点灯時間が所定の閾値を超えた場合、スタンバイモードへ移行する前に、投射を行うための光源の累計点灯時間が所定の閾値を超えたことを知らせる警告画像を投射するように投射部を制御するため、光源の累計点灯時間が、光源の平均寿命に到達する前に、ユーザーに対して交換用の光源の準備を促すことができる。
【００１８】
［７］また、本発明は、入力操作を受け付ける入力操作部と、自装置に電力供給する電源部と、画像を投射する投射部と、自装置の状態を設定する設定項目及びその設定内容を設定情報として記憶する記憶部と、を備えるプロジェクターの制御部が、前記入力操作部により、スタンバイモードにする操作が受け付けられた場合、前記設定情報を表す画像を投射するように前記投射部を制御し、前記設定情報を表す画像を投射した後、前記スタンバイモードへ移行するように前記電源部を制御する、プロジェクターの制御方法である。
【００１９】
この構成により、プロジェクターは、入力操作により、スタンバイモードにする操作が受け付けられた場合、設定情報を表す画像を投射するように投射部を制御し、設定情報を表す画像を投射した後、スタンバイモードへ移行するように電源部を制御するため、プロジェクターは、スタンバイモードへの移行時に、有用な設定内容をユーザーに把握させることができる。
【００２０】
以上により、プロジェクターは、入力操作部により、スタンバイモードに移行するための操作が受け付けられた場合、設定情報を表す画像を投射するように投射部を制御し、設定情報を表す画像を投射した後、スタンバイモードへ移行するように電源部を制御するため、スタンバイモードへの移行時に、有用な設定内容をユーザーに把握させることができる。
【図面の簡単な説明】
【００２１】
【図１】本実施形態に係るプロジェクター１の構成例を示す図である。
【図２】表示設定選択画像の一例である。
【図３】設定内容表示画像の一例である。
【図４】警告表示画像の一例である。
【図５】制御部５０により実行される、設定内容表示画像及び警告表示画像を表示する処理の流れの一例を示すフローチャートである。
【発明を実施するための形態】
【００２２】
以下、本発明の実施形態について、図面を参照して詳細に説明する。図１は、本実施形態に係るプロジェクター１の構成例を示す図である。プロジェクター１は、例えば、投射部１０と、電源端子２０と、電源部２２と、入力操作部３０と、記憶部４０と、制御部５０と、画像入力端子６０と、画像信号入力部７０と、画像信号処理部８０と、ＯＳＤ（On  Screen  Display）処理部９０とを備える。
【００２３】
投射部１０は、例えば、光源１２と、液晶ライトバルブ１４と、投射レンズ１６と、液晶駆動部１８とを備える。光源１２は、例えば、超高圧水銀ランプやメタルハライドランプ等からなる放電型の光源ランプである。光源１２は、さらに、光源ランプが放射した光を液晶ライトバルブ１４側に反射するリフレクターを含んでいる。なお、光源１２は、光源ランプに限られず、ＬＥＤ（Light  Emitting  Diode）光源やレーザー光源等を用いてもよい。液晶ライトバルブ１４は、例えば、一対の透明基板間に液晶が封入された、光の三原色であるＲＧＢ（Red、Green、Blue）それぞれに対応した透過型の液晶パネルである。なお、液晶ライトバルブ１４は、透過型の液晶パネルに限らず、反射型の液晶パネルでもよく、又は、液晶に限らず、ＤＭＤ（Digital  Mirror  Device）等であってもよい。投射レンズ１６は、液晶ライトバルブ１４から入射した画像を映し出す光を、スクリーンＳＣ等に拡大投射するための投射光学系としてのレンズである。液晶駆動部１８は、後述するＯＳＤ処理部９０から入力される画像情報に応じた駆動電圧を、液晶ライトバルブ１４の各画素に印加（駆動）する。この印加によって、液晶駆動部１８は、光源１２から液晶ライトバルブ１４へ入射した光を、画像情報に応じた画像を映し出す光として、液晶ライトバルブ１４に形成させる。
【００２４】
電源端子２０は、交流電圧１００［Ｖ］等の電力を外部から供給するための端子である。電源部２２は、電源端子２０から交流電力を受給し、受給した交流電力を所定の直流電力へ変換し、変換した直流電力をプロジェクター１の各部に供給する。また、電源部２２は、制御部５０からの要求に従い、プロジェクター１の各部が画像を投射するために必要な電力を、各部に供給する状態と、各部への電力供給の一部又は全部を停止し、電源をオンにするための操作を受け付けるまで待機する状態（以下、スタンバイモードと称する）とを切り替える。
【００２５】
なお、スタンバイモードの種類は、ユーザーがプロジェクター１に対して設定する１つ以上の設定項目の内容で決まるものであり、複数種類のスタンバイモードが存在する。設定項目とは、例えば、複数の輝度設定のうちいずれを選択するか、複数のカラーモードのうちいずれを選択するか、スリープモードを有効にするか無効にするかの選択、入力端子の種類の選択、スタンバイモード時における通信の可否の選択等である。複数種類のスタンバイモードとは、例えば、スタンバイモード時に通信が可能又は不可能である状態や、スタンバイモード時に接続している機器から映像信号が入力された場合に外部モニターに表示することで内容を確認可能な状態や、映像ソースを切り替えることが可能な状態等、又はこれらの組み合わせをいう。
【００２６】
入力操作部３０は、例えば、ユーザーからの入力を受け付ける各種操作ボタンや操作キー、タッチパネル等である。なお、入力操作部３０は、プロジェクター１に備えられた（内蔵された）ものに限らず、ユーザーからの入力を受け付ける各種操作ボタンや操作キー、タッチパネル等を備えてユーザーから受け付けた入力を表す情報を無線又は有線で送信するリモートコントローラー等であってもよい。その場合、プロジェクター１は、リモートコントローラーから送信された情報を受信する受信部を備えるものとする。
【００２７】
記憶部４０は、例えば、ＲＡＭ（Random  Access  Memory）やレジスター、あるいは、ＨＤＤ（Hard  Disk  Drive）やＳＳＤ（Solid  State  Drive）等を含む。記憶部４０は、設定項目表示情報４２と、光源点灯累計時間４４を記憶する。設定項目表示情報４２とは、前述したプロジェクター１の設定項目、及びその設定内容とが対応付けられた情報である。また、設定項目表示情報４２の各設定項目には、設定内容表示画像上に表示するか否かを示す情報が対応付けられている。設定内容表示画像とは、プロジェクター１によるスタンバイモードへの移行が確定する前に表示される画像であって、プロジェクター１の設定項目、及びその設定内容が表示される画像である。設定内容表示画像についての詳細は後述する。なお、設定項目表示情報４２は、設定情報の一例である。また、設定内容表示画像上に表示するか否かを示す情報は、表示可否情報の一例である。本実施形態では、設定項目表示情報４２は、工場出荷時において予め設定されているものとするが、これに限られず、初回起動時等に、ユーザーに設定項目表示情報４２を入力させてもよい。
【００２８】
光源点灯累計時間４４とは、光源１２の光源ランプが点灯した時間の累計を示す情報である。本実施形態において、光源点灯累計時間４４は、後述する制御部５０によって、光源１２が点灯するように制御された時間が、記憶部４０に蓄積されたものである。ここで、ユーザーによって光源ランプが交換された場合、例えば、ユーザーは、手動で光源点灯累計時間４４を０分にリセットする。この場合、制御部５０は、光源点灯累計時間４４がリセットされると、リセットされた後に光源ランプが点灯した時点から光源点灯累計時間４４を蓄積する。
【００２９】
なお、制御部５０は、光源ランプの着脱を検出するセンサーを用いて、光源ランプの交換とともに光源点灯累計時間４４をリセットするものとしてもよい。また、光源点灯累計時間４４は、光源点灯累計回数や、１日当たりの光源点灯平均頻度及び光源使用累計日数等であるものとしてもよい。また、光源点灯累計時間４４は、プロジェクターに関する使用状況を表す値の一例であり、プロジェクター１の交換可能な他の機能部の累計使用時間や、累計使用回数、平均使用頻度及び累計使用日数等でもよい。また、これらの値は、プロジェクター１の交換可能な機能部が故障する可能性を推定可能な値や、プロジェクター１の交換可能な機能部が故障したことを示す値であるものとしてもよい。また、記憶部４０は、制御部５０が備える図示しないＣＰＵ（Central  Processing  Unit）が実行する各種制御プログラムを記憶する。
【００３０】
制御部５０は、例えばＣＰＵを備え、記憶部４０に記憶されている制御プログラムに従って動作することにより、プロジェクター１の動作を統括制御する。制御部５０は、プロジェクター１が表示設定選択画像を表示中に、入力操作部３０によりユーザーから各種設定項目への設定内容を表示するか否かの選択入力（前述した設定内容表示画像として表示するか否かを示す情報）を受け付ける。そして、制御部５０は、受け付けた入力内容を、対応する設定項目及びその設定内容とともに、設定項目表示情報４２として記憶部４０に記憶させる。
【００３１】
ここで、図２を参照することにより、表示設定選択画像について説明する。図２は、表示設定選択画像の一例である。図２に示したように、表示設定選択画像では、各種設定項目が表示される。各種設定項目とは、例えば、前述したように、複数の輝度設定のうちいずれを選択するか、複数のカラーモードのうちいずれを選択するか、スリープモードを有効にするか無効にするかの選択、入力端子の種類の選択、スタンバイモード時における通信の可否の選択、所定のタイミング（例えば、プロジェクター１の起動時）でロゴ画面を表示するか否かの選択等である。ユーザーは、図２に示した表示設定選択画像上で、これらの設定項目のそれぞれについて、設定内容表示画像上において設定内容を表示するか否かを選択できる。
【００３２】
図１に戻る。制御部５０は、スタンバイモードへの移行を選択する入力を入力操作部３０から受け付けると、スタンバイモードに移行する前に、記憶部４０から設定項目表示情報４２及び光源点灯累計時間４４を読み込む。そして、制御部５０は、読み込んだ情報をＯＳＤ処理部９０の画像生成部９２へ出力する。その後、制御部５０は、入力操作部３０からスタンバイモードへの移行を確定する入力を受け付けると、プロジェクター１の各部への電源部２２からの電力供給の一部又は全部を停止するように制御する。
【００３３】
画像入力端子６０は、各種画像再生装置から接続されるケーブルの各規格に対応した複数の画像入力端子であり、画像情報を画像信号入力部７０に出力する。画像信号入力部７０は、画像入力端子６０から画像情報を取得すると、取得した画像情報を画像信号処理部８０に入力する。画像信号処理部８０は、画像信号入力部７０から入力された画像情報を、ＲＧＢ毎に、液晶ライトバルブ１４の各画素の階調を表す画像情報に変換する。そして、画像信号処理部８０は、変換した画像情報を、ＯＳＤ処理部９０に出力する。
【００３４】
ＯＳＤ処理部９０は、制御部５０からの要求に従い、画像信号処理部８０から入力される画像情報に、メニュー画像やメッセージ画像等のＯＳＤ画像を重畳して表示するための処理を行う。ＯＳＤ処理部９０は、図示しないＯＳＤメモリーを備えており、ＯＳＤ画像を生成するための図形やフォント等を表すＯＳＤ画像情報を記憶している。ＯＳＤ処理部９０は、ＯＳＤ画像を重畳した画像情報を、液晶駆動部１８に出力し、投射部１０からスクリーンＳＣに投射させる。ＯＳＤ処理部９０は、例えば、画像生成部９２を備える。画像生成部９２は、制御部５０から設定項目表示情報４２及び光源点灯累計時間４４を取得すると、取得した情報に基づいて、プロジェクター１のスタンバイモードへの移行が確定する前に表示する設定内容表示画像を生成する。なお、ＯＳＤ処理部９０、画像生成部９２の一方又は双方は、ＬＳＩ（Large  Scale  Integration）やＡＳＩＣ（Application  Specific  Integrated  Circuit）等のハードウェア機能部であってもよい。
【００３５】
図３は、設定内容表示画像の一例である。図３に示したように、設定内容表示画像では、各種設定項目と、それらに対応する設定内容が表示されている。プロジェクター１は、設定内容表示画像を、スタンバイモードへの移行が確定する前に表示することで、複数種類のスタンバイモードのうちいずれのスタンバイモードに移行するか、あるいは、個々の設定項目の設定内容を、ユーザーに知らせることができる。図３において、設定内容表示画像は、輝度設定が高輝度設定、カラーモードが映画観賞に適したシアターモード、光源点灯累計時間が１２３５時間、スリープモードがオン設定であり、スリープモードへ移行するまでの時間が１５分、入力端子が１番目のＨＤＭＩ（High  Definition  Multimedia  Interface、登録商標）端子、スタンバイモード時の通信の可否が通信可能設定であることを表示している。なお、設定内容表示画面上には、設定項目ではない光源点灯累計時間も表示されているが、光源点灯累計時間を表示しないものとしてもよい。また、設定内容表示画像には、「決定キーで電源オフします」と表示されており、ユーザーが決定キーに対して選択入力を行うことでプロジェクター１のスタンバイモードへの移行が確定することを知らせる文章が表示される。
【００３６】
図１に戻る。画像生成部９２は、さらに、制御部５０からの要求に従い、光源１２の光源ランプの交換を促し、且つ、交換作業時の注意事項を表示する警告表示画像を、光源点灯累計時間４４に基づいて生成する。プロジェクター１は、警告表示画像の表示により、光源ランプの寿命が近づいていることを認識させ、交換用の光源ランプの欠品による使用停止期間が生じることを防止することができる。また、プロジェクター１は、警告表示画像の表示により、光源ランプの交換作業時に伴う注意を、ユーザーに認識させることができる。光源ランプの交換作業時に伴う注意とは、例えば、使用直後の熱い光源ランプに触れてしまうことへの注意等である。
【００３７】
図４は、警告表示画像の一例である。図４に示したように、警告表示画像には、光源の寿命が近づいていることを知らせる文章とともに、光源の交換作業時に伴う注意に関する注意喚起の文章が表示される。光源の寿命が近づいていることを知らせる文章とは、例えば、「注意！光源の累計点灯時間がもうすぐ平均寿命に到達します。」である。光源の交換作業時に伴う注意に関する注意喚起の文章とは、例えば、「交換する場合は電源オフして３０分以上置き、プロジェクターが冷えてから交換してください。」である。また、警告表示画像には、「確認後、決定キーを押してください」と表示されている。これに対し、ユーザーが決定キーを押下すると、例えば、プロジェクター１は、他の画面表示の状態や、スタンバイモードへの移行が確定する状態等へ移行する。次の画面が表示される。なお、図４には、光源の寿命と交換に関する警告が表示された警告表示画像例を示したが、これに限られず、プロジェクター１に関する各種警告を表示するものとしてもよい。各種警告とは、例えば、プロジェクター１の交換可能な機能部に生じた故障に関する警告や、プロジェクター１の各部の劣化状況に関する警告等である。
【００３８】
以下、図５を参照し、制御部５０が、設定内容表示画像及び警告表示画像を表示する処理について説明する。図５は、制御部５０により実行される、設定内容表示画像及び警告表示画像を表示する処理の流れの一例を示すフローチャートである。
【００３９】
まず、制御部５０は、入力操作部３０からプロジェクター１を電源オフにする操作を受け付けるまで待機する（ステップＳ１００）。制御部５０は、電源オフにする操作を受け付けると（ステップＳ１００−Ｙｅｓ）、記憶部４０により記憶された光源点灯累計時間４４が、所定の閾値を超過したか否かを判定する（ステップＳ１１０）。ここで、所定の閾値とは、例えば、光源１２に使用されている光源ランプの平均寿命の９０％程度であり、平均寿命が１４００時間であれば、所定の閾値は１２６０時間となる。制御部５０は、所定の閾値を超過していないと判定した場合（ステップＳ１１０−Ｎｏ）、設定項目表示情報４２を参照することで、図２に示した表示設定選択画像でユーザーによって「表示する」と選択された設定項目があるか否かを判定する（ステップＳ１４０）。
【００４０】
一方、制御部５０は、所定の閾値を超過していると判定した場合（ステップＳ１１０−Ｙｅｓ）、ＯＳＤ処理部９０の画像生成部９２に、図４に示した警告表示画像を生成させ、生成させた警告表示画像を投射部１０に投射させる（ステップＳ１２０）。次に、制御部５０は、ユーザーが入力操作部３０によって決定キーを押したか否かを判定する（ステップＳ１３０）。制御部５０は、ユーザーが決定キーを押していないと判定した場合（ステップＳ１３０−Ｎｏ）、ステップＳ１３０に戻り、決定キーが押されるまで待機する。制御部５０は、ユーザーが決定キーを押した場合（ステップＳ１３０−Ｙｅｓ）、ステップＳ１４０に遷移し、図２に示した表示設定選択画像でユーザーによって「表示する」と選択された設定項目が存在するか否かを判定する。
【００４１】
ステップＳ１４０で、表示設定選択画像でユーザーによって「表示する」と選択された設定項目が存在しないと判定した場合、制御部５０は、スタンバイモードへの移行を確定し、電源部２２をスタンバイモードにおける電力供給状態へ遷移するように制御する（ステップＳ１７０）。一方、制御部５０は、表示設定選択画像でユーザーによって「表示する」と選択された設定項目があると判定した場合、「表示する」と選択された設定項目に関する設定内容表示画像を画像生成部９２に生成させる。そして、制御部５０は、画像生成部９２が生成させた設定内容表示画像を投射部１０に投射させる（ステップＳ１５０）。
【００４２】
次に、制御部５０は、入力操作部３０が、電源オフを確定させる操作を受け付けたか否かを判定する（ステップＳ１６０）。制御部５０は、電源オフを確定させる操作を受け付けていないと判定した場合（ステップＳ１６０−Ｎｏ）、ステップＳ１６０に戻り、電源オフを確定させる操作を受け付けるまで待機する。一方、制御部５０は、電源オフを確定させる操作を受け付けたと判定した場合（ステップＳ１６０−Ｙｅｓ）、ステップＳ１７０に遷移して、電源部２２をスタンバイモードにおける電力供給状態へ遷移するように制御する。
【００４３】
なお、図５に示した例では、制御部５０は、ユーザーから電源オフにする操作を受け付けた場合、先に警告表示画像を表示し、その後に設定内容表示画像を表示するものとしたが、これに限られず、表示する順番が逆でもよいし、１つの画面に２つの画像を並べて表示するものとしてもよい。また、制御部５０は、警告表示画像を表示するものとしたが、警告表示画像を表示しなくてもよい。また、所定の閾値は、光源１２に使用されている光源ランプの平均寿命の９０％程度であるとものとしたが、平均寿命以上の閾値を用いてもよい。また、プロジェクター１は、スタンバイモードへの移行が確定する前に、設定内容表示画像を表示させる際、設定内容表示画像に必要な設定項目の設定内容を表示させるばかりではなく、設定変更された設定項目の設定内容を表示させてもよいし、スタンバイモードの種類を特定するのに必要な設定項目を表示させてもよい。
【００４４】
このように、本実施形態におけるプロジェクター１は、入力操作部３０により、スタンバイモードに移行するための操作が受け付けられた場合、設定内容表示画像を投射するように投射部１０を制御し、設定内容表示画像を投射した後、スタンバイモードへ移行するように電源部２２を制御するため、スタンバイモードへの移行時に、有用な設定内容をユーザーに把握させることができる。また、プロジェクター１は、一例として、スタンバイモードの種類を特定するのに必要な設定項目を表示するので、スタンバイモードへの移行が確定する前に、ユーザーにスタンバイモードの種類を知らせることができる。これにより、プロジェクター１は、スタンバイモードへの移行後に、プロジェクター１がいずれの種類のスタンバイモードで待機中であるかをユーザーに把握させることができる。
【００４５】
また、プロジェクター１は、プロジェクター１は、設定内容表示画像により表示することを示す情報に対応付けられた設定項目及びその設定内容について表示する設定内容表示画像を投射するように投射部１０を制御するため、ユーザーが所望する設定項目及びその設定内容を、スタンバイモードに移行する前に表示することができる。
【００４６】
また、プロジェクター１は、設定項目表示情報４２を表す設定内容表示画像を投射した後、入力操作部３０によりスタンバイモードへの移行を確定する操作が受け付けられた場合、スタンバイモードへ移行するように電源部２２を制御するため、設定内容表示画像を表示させた後、表示された内容をユーザーが把握する前に、スタンバイモードへ移行してしまうことを防止することができる。
【００４７】
また、プロジェクター１は、スタンバイモードへ移行する前に、プロジェクター１の使用状況に関する警告を表す警告表示画像を投射するように投射部１０を制御するため、プロジェクター１の使用状況に関する警告を、ユーザーが把握しないままプロジェクター１の使用を継続してしまうことを防止することができる。
【００４８】
また、プロジェクター１は、記憶部４０により記憶された使用状況を表す値が所定の閾値を超えた場合、スタンバイモードへ移行する前に、使用状況を表す値が閾値を超えたことを知らせる警告表示画像を投射するように投射部１０を制御するため、使用状況を表す値が閾値を超えたことによって起こり得る事象を、その事象が起こる前にユーザーに把握させることができる。
【００４９】
また、プロジェクター１は、光源点灯累計時間４４が所定の閾値を超えた場合、スタンバイモードへ移行する前に、光源点灯累計時間４４が所定の閾値を超えたことを知らせる警告表示画像を投射するように投射部１０を制御するため、光源点灯累計時間４４が、光源の平均寿命に到達する前に、ユーザーに対して交換用の光源の準備を促すことができる。
【００５０】
以上、この発明の実施形態を、図面を参照して詳述してきたが、具体的な構成はこの実施形態に限られるものではなく、この発明の要旨を逸脱しない限り、変更、置換、削除等されてもよい。
【符号の説明】
【００５１】
１  プロジェクター、１０  投射部、１２  光源、１４  液晶ライトバルブ、１６  投射レンズ、１８  液晶駆動部、２０  電源端子、２２  電源部、３０  入力操作部、４０  記憶部、４２  設定項目表示情報、４４  光源点灯累計時間、５０  制御部、６０  画像入力端子、７０  画像信号入力部、８０  画像信号処理部、９０  ＯＳＤ処理部、９２  画像生成部
【図１】
2015082672.tif 000003
【図２】
2015082672.tif 000004
【図３】
2015082672.tif 000005
【図４】
2015082672.tif 000006
【図５】
2015082672.tif 000007